(57)【特許請求の範囲】
【請求項１】
円形断面部分を有する飲料容器を当該円形断面部分が並ぶように上下方向に重ねて収容可能な容器収容庫と、同容器収容庫の前面上部及び下部に設けられた扉付き飲料容器投入口及び取出口と、上記容器収容庫内の飲料容器の有無を検出するセンサーと、貨幣又はその兌換物を投入する貨幣又は兌換物投入口及びその数をカウントするカウンターと、上記容器収容庫内壁に設けられた飲料容器冷却又は加熱用伝熱板と、同伝熱板に結合された熱電素子を用いた電子冷却又は加熱装置と、飲料容器を上記容器収容庫の取出口から外部に送り出す送り出し装置と、上記飲料容器有無検出センサー及びカウンターの出力に基づき、上記電子冷却又は加熱装置及び送り出し装置の作動を制御するコントローラとからなり、
上記送り出し装置は、上記飲料容器の円形断面部分の軸方向に沿った方向に往復移動可能な送りネジ機構を有し、当該送りネジ機構の機能によって上記容器収容庫に収容された最下位の飲料容器を当該軸方向に沿って後押しする形でその前端部が上記取出口から外部に突出するように送り出す
ことを特徴とする容器入り飲料自動販売機。
【請求項２】
上記投入口の一側の中央部より下側に内側に突出され、上記投入口から上記容器収容庫の奥行き終端まで連続的又は断続的に設けられた飲料容器水平保持用リブと、同飲料容器水平保持用リブと対向する側に同リブの突端との間隔を飲料容器の径より僅かに大きくし、かつ飲料容器の半径より大きい半径を持ち、上記投入口から上記容器収容庫の奥行き終端まで連続的に形成された円弧状凹部とを有してなり、上記容器収容庫に、その投入口から飲料容器を水平状態を保ったまま投入して落下させる容器水平投入機構を備えることを特徴とする請求項１記載の容器入り飲料自動販売機。
【請求項３】
遊技マシンと遊技マシン間に設置される遊技媒体貸出機の下部に、請求項１記載の容器入り飲料自動販売機を上記遊技媒体貸出機と一体又は別体で組込み設置してなることを特徴とする飲料自動販売機を備えた遊技媒体貸出機。
【請求項４】
上記飲料自動販売機の幅方向寸法を上記遊技媒体貸出機の幅方向寸法と同等又はそれ以下に設定してなることを特徴とする請求項３記載の飲料自動販売機を備えた遊技媒体貸出機。
【発明の詳細な説明】
【０００１】
【発明の属する技術分野】
本発明は、小型・薄型化でき、設置場所を制限されず、狭いスペースにも組込み設置できる容器入り飲料自動販売機、及び、飲料自動販売機を備えた、パチンコやスロットルマシン、その他の遊技マシンにおける遊技媒体貸出機に関するものである。
【０００２】
【従来の技術】
容器入り飲料自動販売機は、一般に道路の歩道等のように人が通る場所に面して設置される場合が多く、歩行者が利用し易いように設置されている。
また、駅や空港のコンコース、店頭などに設置して旅行者の便に供するもの、あるいは会社や工場の廊下、休憩所などに設置して主に従業員の利用に供するもの、更には商店を始めとする各種建物の屋内に設置して利用するものなど、多種多様である。
【０００３】
しかしながら、上記にて使用されている従来の容器入り飲料自動販売機は、いずれも大型の自動販売機が多く、多種の飲料容器を大量に収容し、販売できるもので、その大きさや形などから、設置が上記のような場所に制限され、狭い場所に組込んで設置することは困難であり、例えば新幹線等のような交通機関の座席シート間に一体に設置すること、あるいはパチンコを始めとする各種の遊技マシン間に一体に設置することはできなかった。
【０００４】
このため、交通機関等では、飲料が欲しくなったとき、乗客が自身で売店まで買いに行くか、車内販売員が売りに来るのを待つ必要があり、また、遊技マシンを設置している遊技場においては、遊技者が遊技中に喉が乾いて飲料が欲しくなったときに、一旦遊技を中断してカウンターや遊技場内に設置されている自動販売機のところまで出向く必要があり、手元で直ちに欲望を満たすことができない問題があった。
【０００５】
【発明が解決しようとする課題】
本発明の課題は、小型・薄型化でき、設置場所を制限されず、座席シート間や遊技マシン間等の小スペースにも簡単に組込み設置できる容器入り飲料自動販売機を提供することにある。
本発明のもう一つの課題は、飲料容器を水平状態に投入して収容する容器収容庫に対し、飲料容器を確実に水平状態を保ったまま投入できる容器水平投入機構を備えた容器入り飲料自動販売機を提供することにある。
本発明の更なる課題は、遊技マシンで遊技を行いながら、手元で飲料容器を取り出して飲むことができる飲料自動販売機を備えた遊技媒体貸出機を提供することにある。
【０００６】
【課題を解決するための手段】
上記した課題を解決するため、本発明にかかる容器入り飲料自動販売機は、円形断面部分を有する飲料容器を当該円形断面部分が並ぶように上下方向に重ねて収容可能な容器収容庫と、同容器収容庫の前面上部及び下部に設けられた扉付き飲料容器投入口及び取出口と、上記容器収容庫内の飲料容器の有無を検出するセンサーと、貨幣又はその兌換物を投入する貨幣又は兌換物投入口及びその数をカウントするカウンターと、上記容器収容庫内壁に設けられた飲料容器冷却又は加熱用伝熱板と、同伝熱板に結合された熱電素子を用いた電子冷却又は加熱装置と、飲料容器を上記容器収容庫の取出口から外部に送り出す送り出し装置と、上記飲料容器有無検出センサー及びカウンターの出力に基づき、上記電子冷却又は加熱装置及び送り出し装置の作動を制御するコントローラとからなり、上記送り出し装置が、上記飲料容器の円形断面部分の軸方向に沿った方向に往復移動可能な送りネジ機構を有し、当該送りネジ機構の機能によって上記容器収容庫に収容された最下位の飲料容器を当該軸方向に沿って後押しする形でその前端部が上記取出口から外部に突出するように送り出すことを特徴とするもので、この容器入り飲料自動販売機は、飲料容器を上下方向に重ねて収容する容器収容庫の幅により幅方向寸法が、また、上下方向に重ね収容する飲料容器の数によって高さ方向寸法が、更に、飲料容器の長さによって奥行き寸法がほぼ決まり、これに貨幣又は兌換物投入口及びその数をカウントするカウンター、電子冷却又は加熱装置、飲料容器の送り出し装置、コントローラ等を組付けることにより、容器入り飲料自動販売機を小型・薄型化することができる。
【０００７】
また、本発明にかかる容器入り飲料自動販売機は、上記投入口の一側の中央部より下側に内側に突出され、上記投入口から上記容器収容庫の奥行き終端まで連続的又は断続的に設けられた飲料容器水平保持用リブと、同飲料容器水平保持用リブと対向する側に同リブの突端との間隔を飲料容器の径より僅かに大きくし、かつ飲料容器の半径より大きい半径を持ち、上記投入口から上記容器収容庫の奥行き終端まで連続的に形成された円弧状凹部とを有してなり、上記容器収容庫に、その投入口から飲料容器を水平状態を保ったまま投入して落下させる容器水平投入機構を備えることを特徴とする容器入り飲料自動販売機であり、飲料容器を投入口から飲料容器水平保持用リブに沿って水平に挿入し、奥行き終端まで挿入した後、同リブを乗り越えるように飲料容器を円弧状凹部側へ少し移行させると、飲料容器はそのまま水平状態を維持して落下するため、飲料容器を確実に水平状態を保ったまま容器収容庫に投入することができる。
【０００８】
更に、本発明にかかる飲料自動販売機を備えた遊技媒体貸出機は、遊技マシンと遊技マシン間に設置される遊技媒体貸出機の下部に、上記した容器入り飲料自動販売機を上記遊技媒体貸出機と一体又は別体で組込み設置してなることを特徴とするもので、上記により小型・薄型化した容器入り飲料自動販売機を遊技媒体貸出機の下部に組込み設置することによって、遊技マシンで遊技中に飲料が欲しくなったとき、随時遊技しながら隣の容器入り飲料自動販売機で飲料容器を購入して飲むことができる。
【０００９】
また、本発明にかかる飲料自動販売機を備えた遊技媒体貸出機は、上記した飲料自動販売機を備えた遊技媒体貸出機において、上記飲料自動販売機の幅方向寸法を上記遊技媒体貸出機の幅方向寸法と同等又はそれ以下に設定してなることを特徴とするもので、飲料自動販売機の幅方向寸法を遊技媒体貸出機の幅方向寸法と同等又はそれ以下とすることにより、遊技マシンや遊技媒体貸出機の設置に全く影響を及ぼすことなく、飲料自動販売機を組込み設置することができる。
【００１０】
【発明の実施の形態】
以下に本発明の実施の形態を図１乃至図７に基づいて説明する。
図１は本発明にかかる容器入り飲料自動販売機の縦断面図、図２は図１中のＡ−Ａ断面相当図、図３は図１中のＢ−Ｂ断面相当図、図４は図１中のＣ−Ｃ断面相当図、図５はその容器収容庫の扉部分、扉ロックレバー部分、送り出しレバー部分、飲料容器有無検出センサー設置部分、及び引き抜き防止レバー部分の端面図、図６は本発明にかかる飲料自動販売機が備える容器水平投入機構を示す縦断面図、図７は本発明にかかる飲料自動販売機を備えた遊技媒体貸出機の正面及び側面図である。
【００１１】
図中において、１は飲料の入った瓶、缶等の飲料容器２を水平状態で数個、図示例では４個を上下方向に積み重ねて収容できる縦長形状の容積を有する容器収容庫であり、前面側の上部にヒンジ３を中心に下方へ開くことができ、鍵４により閉じることができる投入口扉５付きの飲料容器投入口６が設けられと共に、前面側の下部にはヒンジ７を中心にバネ８によって常に下向きに閉じる方向に付勢された取出口扉９付きの飲料容器取出口１０が設けられている。
【００１２】
容器収容庫１の上部には、貨幣又はその兌換物を投入する貨幣又は兌換物投入口１１と、投入された貨幣又は兌換物の返却口１２と、投入された貨幣又は兌換物を所定の場所へ導き、排出口１４から排出する通路１３と、投入された貨幣又は兌換物の数をカウントするカウンター１５と、通路１３を返却口１２側へ切り替えるフラッパー１６と、フラッパー１６を通路１３を開放する位置と通路１３を閉じて返却口１２側へ開放する位置とに切り替え作動させる電磁ソレノイド１７等よりなる貨幣又は兌換物処理機構が一体的に組込み設置されている。
【００１３】
ここでは、本発明にかかる容器入り飲料自動販売機をパチンコ遊技マシンに隣接して設けられる遊技媒体貸出機に一体的に組込み設置することを前提に、パチンコ遊技者が遊技中にこの容器入り飲料自動販売機より、遊技を中断することなく、パチンコ玉１８を兌換物として使用して飲料容器２を購入できるようにした例を示している。
【００１４】
例えば、パチンコ玉１８を一個４円とすると、２００円の飲料容器２を購入するには、５０個のパチンコ玉１８を兌換物投入口１１から投入すればよく、投入されたパチンコ玉１８の数をカウンター１５がカウントし、それを図５に示すように玉数表示器１９に表示すると共に、玉数が５０個に達すると、電磁ソレノイド１７がフラッパー１６を通路１３を閉じ、返却口１２側を開放する位置に切り替え、余剰のパチンコ玉１８を返却口１２へ戻すよう作動し、同時に投入されたパチンコ玉１８を通路１３を経て排出口１４から島の中へ排出する仕組みとなっている。
【００１５】
また、ここで使用されたパチンコ玉１８は、カウンター１５の出力あるいは排出口１４に設置したセンサー等から、カウンターに設置されている表示器に出力表示されるようになっていると共に、カウンター１５の出力は、コントローラ２０を介して後述する容器収容庫１から飲料容器２を送り出す装置を作動させ、飲料容器２を取り出し可能な状態にするよう作用するようになっている。
【００１６】
この電磁ソレノイド１７や飲料容器送り出し装置、更には後述する電子冷却又は加熱装置は、カウンター１５の出力信号や後述する飲料容器有無検出センサーの出力信号に基づいて、制御基板２１を含むコントローラ２０によって作動制御されるようになっており、このコントローラ２０も容器収容庫１の上部に一体的に組込み設置されている。
【００１７】
なお、この容器入り飲料自動販売機をパチンコ遊技マシン以外の、例えばスロットルマシンに隣接して設置する場合は、パチンコ玉１８に替えてスロットルマシン用のコインを兌換物として飲料容器２を購入できるようにすればよく、また硬貨を使用する一般的な容器入り飲料自動販売機として、汎用性を持たせ、例えば交通機関の座席シート間に組込み設置する場合は、上記したようなパチンコ玉処理機構を、硬貨投入口、硬貨カウンター、硬貨一時保管箱、金額表示器等の硬貨処理機構に置き換えればよい。
【００１８】
また、容器収容庫１の内壁側には、その上面、両側面、及び後面を被うようにアルミニウム等の熱伝導性の高い材料によって一体成形された金属製の飲料容器冷却又は加熱用伝熱板２２が設けられており、この伝熱板２２の後面側の裏面には、ペルチェ効果を有する熱電素子を用いた電子冷却又は加熱装置２３に結合されている。
【００１９】
この電子冷却又は加熱装置２３は、正電極−Ｎ形熱電素子−中間電極−Ｐ形熱電素子−負電極により構成され、電極を通して通電することにより、正、負両電極側が発熱源、中間電極が吸熱源となる熱ポンプであり、この吸熱源を利用すれば冷却装置、発熱源を利用すれば加熱装置として機能する。
その切り替えは、通電方向の切り替えによって簡便に行うことができるため、容器収容庫１を冷蔵庫又は温蔵庫として、冷たい飲料容器又は温かい飲料容器の収容庫のいずれにも使用することができる。
【００２０】
ここでは、電子冷却又は加熱装置２３の吸熱源２４を伝熱板２２に結合し、発熱源側に熱伝導のよいアルミニウム製冷却フィンが設けられたヒートシンク２５を取り付けると共に、その上側に送風ファン２６、下側に排気ファン２７を取り付けることにより、容器入り飲料自動販売機の前面側から取り込んだ空気をヒートシンク２５の上側から下側に送り、ヒートシンク２５を強制冷却できるよう構成しているが、本発明において、電子冷却又は加熱装置２３とは、冷却専用に構成されたもの、加熱専用に構成されたもの、冷却又は加熱兼用に構成されたものを含む意味で使用されているものとする。
【００２１】
また、容器収容庫１の底部には、飲料容器２の送り出し用モータ２８が設置されると共に、このモータ２８により減速歯車２９を介して正逆回転駆動される飲料容器２の送り出し用送りネジ軸３０が前後方向に水平に回転自在に軸承支持されており、この送りネジ軸３０上には、飲料容器２の後端に係合して飲料容器２を送り出す送り出しレバー３１、飲料容器２の肩部あるいは前端部に係合して飲料容器２をお客が無理やり取り出せないようにする引き抜き防止レバー３２、及び取出口扉９の下面の溝に係合して取出口扉９をお客が無闇に開けられないようにロックする扉ロックレバー４３が設けられている。
【００２２】
この３つのレバーのうち、引き抜き防止レバー３２と扉ロックレバー４３は、送りネジ軸３０に対して一定のフリクションを持って一定角度回動できるよう取り付けられており、送りネジ軸３０の回転により一定の角度回動し、図示されていない回転止めに当接して止まることによって、飲料容器２の引き抜き防止の解除と取出口扉９のロック解除ができるようになっていると共に、送りネジ軸３０は引き抜き防止レバー３２と扉ロックレバー４３が回転止めに当接して止まっても、フリクションに打ち勝って回転を継続できるようになっている。
【００２３】
一方、送り出しレバー３１は、送りネジ軸３０にネジ結合され、送りネジ軸３０の回転により一定の角度回動した後、前後方向にイ、ロ間を往復移動可能な送りネジ機構を構成しており、容器収容庫１に収容された最下位の飲料容器２の後端に係合して飲料容器２を前方へ送り出し、飲料容器２が取出口扉９をバネ８に抗して開放させ、その前端部を容器収容庫１の外部に突出するようにし、外部から飲料容器２を引き抜きできる状態となすよう機能するものである。
【００２４】
更に、容器収容庫１の底部には、容器収容庫１に飲料容器２が投入されると、それに接して作動する飲料容器有無検出センサー３３が設置されており、このセンサー３３の出力信号は上記したようにコントローラ２０に入力され、電子冷却又は加熱装置２３を作動させるようになっている。
コントローラ２０は、その他に電子冷却又は加熱装置２３により容器収容庫１内に収容された飲料容器２が所定温度に冷却又は加熱されると、図５に示すように貸出中ＬＥＤ３４を点灯して、お客に飲料容器２が購入可能であることを知らせ、所定の温度に達する前、あるいは飲料容器２が無くなると、貸出中止ＬＥＤ３５を点灯させる機能を有している。
【００２５】
しかして、上記の容器入り飲料自動販売機において、容器収容庫１前面の投入口扉５を開けて飲料容器投入口６から飲料容器２を水平状態にして投入すると、飲料容器２は水平状態を保って容器収容庫１の最下位まで落下し、飲料容器有無検出センサー３３に当接して、同センサー３３を図５（Ｄ）の矢印方向へ回動させ、コントローラ２０に対し飲料容器有り信号を出力する。
同様にして容器収容庫１内に所要本数、ここでは合計４本の飲料容器２が投入される。
【００２６】
飲料容器２が投入され、飲料容器有無検出センサー３３からの信号がコントローラ２０に入力されると、電子冷却又は加熱装置２３が作動され、飲料容器２を伝熱板２２を介して所定温度まで冷却又は加熱する。
飲料容器２が所定の温度に到達すると、自動販売機前面に設けられている貸出中ＬＥＤ３４が点灯され、お客に飲料容器２が販売可能な状態にあることを報知する。
【００２７】
この状態で、お客が飲料容器２を購入するために、貨幣又は兌換物投入口１１から所定金額の硬貨、あるいは兌換方式の場合は所要のパチンコ玉１８やコインを投入すると、カウンター１５がそれをカウントし、金額あるいは個数を前面の表示器１９に表示する。所定金額の硬貨、あるいは兌換物が投入されると、カウンター１５からの信号がコントローラ２０に入力され、コントローラ２０は電磁ソレノイド１７を作動させ、フラッパー１６を切り替えて余剰の硬貨や兌換物を返却口１２へ戻すようにすると同時に、送り出し用モータ２８に対し飲料容器２を送り出す方向への回転信号を出力する。
【００２８】
送り出し用モータ２８の駆動により送りネジ軸３０が回転し、これによって引き抜き防止レバー３２と扉ロックレバー４３は、それぞれ図５（Ｅ）及び（Ｂ）に矢印で示す方向に回転止めに当接するまで所定角度回動し、飲料容器２の引き抜き防止を解除すると共に、飲料容器取出口１０の取出口扉９のロックを解除するよう作用する。
【００２９】
また、送りネジ軸３０の回転により、飲料容器２の送り出しレバー３１は、先ず図２（Ａ）及び図５（Ｃ）に示すように戻り位置から矢印方向の送り出し位置に所定角度回動し、送り出し位置で回転止めされた後、送りネジ機構の機能によって図１のイ位置からロ位置に移動し、飲料容器２を後押しする形でその前端部が飲料容器取出口１０から外部に突出するように送り出す。
この際、取出口扉９は、送り出されてくる飲料容器２によりバネ８に抗して押し開かれ、飲料容器２を引き抜くことができる状態となる。
【００３０】
お客が飲料容器２の前端部を持って引き抜くと、飲料容器有無検出センサー３３はオン位置から一旦オフ位置に復帰されると共に、取出口扉９はバネ８の力で閉じられる。この飲料容器有無検出センサー３３がオン位置から一旦オフ位置になったときの出力信号によって、コントローラ２０は送り出し用モータ２８を逆方向に回転させる信号を出力する。
飲料容器有無検出センサー３３は、その後上から落ちてくる飲料容器２に押されて再びオン位置に回動される。
【００３１】
送り出し用モータ２８の逆回転によって、送りネジ軸３０も逆回転し、これにより引き抜き防止レバー３２と扉ロックレバー４３は、それぞれ上記した方向とは逆方向に所定角度回動し、引き抜き防止レバー３２は飲料容器２の引き抜きを防止する位置で回転止めに当接して停止し、扉ロックレバー４３は取出口扉９と係合して取出口扉９を開放できないようロックする。
【００３２】
また、飲料容器２の送り出しレバー３１は、上記した送り出し位置から一旦飲料容器２と接触しない戻り位置方向（図２（Ｂ）の矢印方向）に所定角度回動した後、送りネジ機構の機能によって上記とは逆に図１のロ位置からイ位置に後退し、次の飲料容器２の販売まで待機状態となる。
【００３３】
以上の容器入り飲料自動販売機は、飲料容器２を収容する容器収容庫１の幅により幅方向寸法が、また、上下方向に重ね収容する飲料容器２の数により高さ方向寸法が、更に、飲料容器２の長さによって奥行き寸法がほぼ決まり、この容器収容庫１の上部に貨幣又は兌換物処理機構、その背面側に電子冷却又は加熱装置２３、下部に飲料容器２の送りネジ機構、その他を組付けることにより、小型・薄型化を図ることができる。
【００３４】
しかも、電子冷却又は加熱装置２３を冷却又は加熱源としているため、設置場所の制約も受けず、新幹線を始めとする各種交通機関の座席シート間や遊技マシン間等の狭いスペースに容易に設置でき、利用者の便に供することができる。
なお、上記した実施形態では、飲料容器２を４本収容するようにした例を示したが、高さ方向スペースに余裕がある場合や自動販売機のみを単独で使用する場合は、容器収容庫１の高さ方向を高くすることによって、飲料容器２の収容本数を増やすことができる。
【００３５】
つぎに、図６に示す本発明にかかる飲料自動販売機販売機が備える容器水平投入機構について説明する。
上記の容器収容庫１に対しては、飲料容器２を常に水平状態を保ったままで確実に投入しないと、自動販売機として機能しない。
容器収容庫１は、奥行き方向に寸法があるため、投入口６から飲料容器２を投入して行く際に、飲料容器２の挿入端側を常に水平状態に維持し、奥行き終端まで挿入した後、そのまま下方へ落下させる必要がある。
【００３６】
そこで、投入口６の断面形状を図６に示すように、投入口６の半円部の下部側の一側に内側へ突出させ、挿入される飲料容器２を案内する飲料容器水平保持用リブ３６を投入口６から容器収容庫１の奥行き終端まで水平に設けている。
この飲料容器水平保持用リブ３６は、投入口６から容器収容庫１の奥行き終端まで連続的に形成することが望ましいが、同等の機能が得られる程度に断続的に形成してもよい。
【００３７】
また、投入口６の飲料容器水平保持用リブ３６と対向する側に、投入口６から容器収容庫１の奥行き終端まで円弧状凹部３７を連続的に設けている。
この円弧状凹部３７は、飲料容器水平保持用リブ３６の突端との間隔を飲料容器２の径より僅かに大きくし、かつ飲料容器２の半径より大きい半径を持つよう形成される。
【００３８】
しかして、投入口６に上記のように飲料容器水平保持用リブ３６と円弧状凹部３７を設けることにより、投入口６から投入される飲料容器２を、その底部分を飲料容器水平保持用リブ３６によって支持しながら、容器収容庫１の奥行き終端まで水平状態を維持して挿入することができる。
次いで、飲料容器２を円弧状凹部３７側へ少し移行させると、飲料容器２は飲料容器水平保持用リブ３６を乗り越え、水平状態を保持したまま下方へ落下し、容器収容庫１内に水平に上下方向に重ねた状態で収容されることになる。
【００３９】
従って、容器収容庫１に上記の容器水平投入機構を設けておくことにより、常に飲料容器２を確実に水平状態を保ったまま容器収容庫１内に投入することができ、正常に自動販売機を機能させることができる。
【００４０】
更に、本発明にかかる飲料自動販売機を備えた遊技媒体貸出機の一例を図７に基づいて説明する。
ここでは、パチンコ遊技マシン間に設置される遊技媒体貸出機３８（パチンコ玉貸出機）に上記した飲料入り飲料自動販売機を組込む場合の例を説明する。
遊技媒体貸出機３８は、ケース本体３９の上部に玉サンド本体４０を収納して構成されるタイプのもので、このケース本体３９の下部スペースにその下部スペースカバー４１を取り外すことにより、上記した構成の飲料自動販売機４２を収納し、一体的に組込み設置している。
【００４１】
このように小型・薄型化した容器入り飲料自動販売機４２を遊技媒体貸出機３８の下部に組込み設置することによって、遊技マシンで遊技中に飲料が欲しくなったとき、随時遊技しながら隣接の容器入り飲料自動販売機４２で飲料容器２を購入して飲むことができるようになり、遊技者がその都度、席を立って飲料を購入しに行く手間が省け、利便性を増すことができる。
【００４２】
なお、小型・薄型化した容器入り飲料自動販売機４２を遊技媒体貸出機３８に組込む際、飲料自動販売機４２の幅方向寸法を遊技媒体貸出機３８の幅方向寸法と同等又はそれ以下に設計するとよい。
このことによって、遊技マシンや遊技媒体貸出機３８の設置に全く影響を及ぼさないように、飲料自動販売機４２を遊技媒体貸出機３８の幅内で一体又は別体に組込み設置することができるようになる。
【００４３】
【発明の効果】
以上に説明したように、本発明にかかる容器入り飲料自動販売機によると、幅方向寸法、高さ方向寸法、及び奥行き方向寸法を最小とし、小型・薄型化を図ることができ、しかも、電子冷却又は加熱装置を冷却又は加熱源とすることで、設置場所の制約も受けず、新幹線を始めとする各種交通機関の座席シート間や遊技マシン間、その他の狭いスペースに対して容器入り飲料自動販売機を設置し、利用者の便に供することができる。
【００４４】
また、本発明にかかる飲料自動販売機が備える容器水平投入機構によると、飲料容器を上下方向に重ねて収容可能な容器収容庫に対し、その投入口に飲料容器水平保持用リブと円弧状凹部を設けているため、常に飲料容器を水平状態を保ったままで確実に容器収容庫内に投入することができ、自動販売機を正常に機能させて飲料容器を販売することができる。
【００４５】
更に、本発明にかかる飲料自動販売機を備えた遊技媒体貸出機によると、小型・薄型化した容器入り飲料自動販売機を遊技媒体貸出機の下部に組込み設置しているため、遊技者が遊技中に飲料が欲しくなったとき、随時遊技しながら隣の飲料自動販売機で飲料容器を購入して飲むことができ、わざわざ飲料を購入しに行く手間を省くことができる。
しかも、飲料自動販売機の幅方向寸法を遊技媒体貸出機の幅方向寸法と同等又はそれ以下に設計することで、遊技マシンや遊技媒体貸出機の設置に全く影響を及ぼすことなく、飲料自動販売機を組込み設置することができる。
【図面の簡単な説明】
【図１】本発明にかかる容器入り飲料自動販売機の縦断面図である。
【図２】本発明にかかる容器入り飲料自動販売機の図１中のＡ−Ａ断面相当図である。
【図３】本発明にかかる容器入り飲料自動販売機の図１中のＢ−Ｂ断面相当図である。
【図４】本発明にかかる容器入り飲料自動販売機の図１中のＣ−Ｃ断面相当図である。
【図５】本発明にかかる容器入り飲料自動販売機の容器収容庫の扉部分、扉ロックレバー部分、送り出しレバー部分、飲料容器有無検出センサー設置部分、及び引き抜き防止レバー部分の縦断面図である。
【図６】本発明にかかる飲料自動販売機の容器水平投入機構を示す縦断面図である。
【図７】本発明にかかる飲料自動販売機を備えた遊技媒体貸出機の正面及び側面図である。
【符号の説明】
１  容器収容庫
２  飲料容器
５  投入口扉
６  飲料容器投入口
９  取出口扉
１０  飲料容器取出口
１１  貨幣又は兌換物投入口
１５  カウンター
２０  コントローラ
２２  伝熱板
２３  電子冷却又は加熱装置
３０  送りネジ軸
３１  送り出しレバー
３３  飲料容器有無検出センサー
３６  飲料容器水平保持用リブ
３７  円弧状凹部
３８  遊技媒体貸出機
４２  飲料自動販売機
【図１】
0003993267.tif 000002
【図２】
0003993267.tif 000003
【図３】
0003993267.tif 000004
【図４】
0003993267.tif 000005
【図５】
0003993267.tif 000006
【図６】
0003993267.tif 000007
【図７】
0003993267.tif 000008